(57)【特許請求の範囲】
【請求項１】
人や動物の立ち入りを防止する立入防止用金網柵に設置される金網柵用吊設扉であって、略矩形状の扉フレームに金網材が張設されてなる扉本体と、前記扉フレームの上部フレームを前記立入防止用金網柵の上胴縁に連結して前記扉本体を揺動自在に吊り下げる扉吊り具とを有する、前記金網柵用吊設扉。
【請求項２】
前記立入防止用金網柵に形成された前記扉本体を設置するための扉設置用開口部において、左右両側の金網の目に挿通されるとともに前記立入防止用金網柵の上胴縁および下胴縁に連結される長さ調整可能な一対の縦枠材を配置してなる、請求項１に記載の金網柵用吊設扉。
【請求項３】
立入防止用金網柵に請求項１または請求項２に記載の金網柵用吊設扉を設置する方法であって、
吊設扉を設置したい場所における前記立入防止用金網柵の金網を上胴縁から下胴縁にかけて切断して扉設置用開口部を形成する開口部形成工程と、
前記扉設置用開口部において左右両側の金網の目に一対の縦枠材をそれぞれ挿通するとともに上胴縁および下胴縁の間隔に合わせて前記縦枠材の長さを調整して連結する縦枠材設置工程と、
扉吊り具により扉フレームの上部フレームを前記扉設置用開口部における上胴縁に連結して扉本体を揺動自在に吊り下げる扉本体吊設工程と
を有する、前記金網柵用吊設扉の設置方法。
【発明の詳細な説明】
【技術分野】
【０００１】
本発明は、人や動物の立ち入りを防止する立入防止用金網柵に設置される金網柵用吊設扉および金網柵用吊設扉の設置方法に関するものである。
【背景技術】
【０００２】
高速道路および空港では、車輌や飛行機との接触事故を引き起こす人や動物の立ち入りを防止するため、道路沿いまたは空港敷地の一帯を広範囲に渡って立入防止用金網柵で取り囲んでいる。
【０００３】
この高速道路および空港において、草刈りや各種の作業を行うために前記立入防止用金網の内側に入って作業を行う必要があるが、特に出入り口を設けていないため従来、脚立を使って柵を乗り越えて内側に入っていた。しかし、乗り越えるときに、バランスを崩して転落事故が生じる場合がある。
【０００４】
このような事故を防止するため、人や動物の立ち入りを防止しつつ立入防止用金網柵の内外を安全に出入りするための開閉扉に関する発明が提案されている。
【０００５】
例えば、特開２０１０−３１５７１号公報では、菱形金網によるフェンスにおいて、所定の間隔を隔てて立てられた一対の平行立柱と前記菱形金網とをそれぞれコイルで巻込んで接続し、それらの立柱間に形成した出入口に方形開閉扉を配置し、この開閉扉の上下端横方向張線を前記開閉扉の両側縦線の外側に延長し、この両延長端部に巻回部を形成し、この巻回部および前記コイルと立柱との間隙部に前記開閉扉の支持線を緩挿し、この支持線の上端部を下向に屈曲させてなる、菱形金網によるフェンスにおける出入口開閉扉が提案されている（特許文献１）。この特許文献１によれば、菱形金網フェンスのフェンス張設後、必要個所に容易に人の出入口を形成し得るばかりでなく、前記出入口の対向立柱間に方形開閉扉を形成し、開閉扉の閉鎖、回動開閉を対向左右立柱の左右いずれを中心にしても容易に行うことができるとされている。
【先行技術文献】
【特許文献】
【０００６】
【特許文献１】特開２０１０−３１５７１号公報
【発明の概要】
【発明が解決しようとする課題】
【０００７】
しかしながら、特許文献１に記載された発明においては、左右に立てられた立柱を回転軸として開閉されるところ、開閉軌道上には植物が茂ったり、雪が積もったり、あるいは冬期間の凍土によって地面が隆起する、いわゆる凍上によって前記開閉扉が開閉できなくなるという問題がある。また、長期間にわたって放置されると、開閉扉に植物が絡まったり、風雨によって土砂が堆積したりして開かなくなり、無理に開けると開閉扉が歪んで閉めることができなくなることもある。
【０００８】
また、植物や土砂を撤去しても左右の立柱が傾斜して開閉できないこともあり、そうなるとかんぬきを掛けたり外したりすることができず、施錠もできなくなる。
【０００９】
本発明は、上述した問題点を解決するためになされたものであって、簡単かつ短時間に低コストで設置することができるとともに、周辺の地面に植物が茂ったり、積雪や凍上が生じても扉の開閉が可能であり、金網柵内の保全を確保しつつ安全かつ容易に出入りすることのできる金網柵用吊設扉および金網柵用吊設扉の設置方法を提供することを目的としている。
【課題を解決するための手段】
【００１０】
本発明に係る金網柵用吊設扉は、人や動物の立ち入りを防止する立入防止用金網柵に設置される金網柵用吊設扉であって、略矩形状の扉フレームに金網材が張設されてなる扉本体と、前記扉フレームの上部フレームを前記立入防止用金網柵の上胴縁に連結して前記扉本体を揺動自在に吊り下げる扉吊り具とを有する。
【００１１】
また、本発明の一態様として、前記立入防止用金網柵に形成された前記扉本体を設置するための扉設置用開口部において、左右両側の金網の目に挿通されるとともに前記立入防止用金網柵の上胴縁および下胴縁に連結される長さ調整可能な一対の縦枠材を配置してもよい。
【００１２】
また、本発明に係る金網柵用吊設扉の設置方法は、金網柵用吊設扉を設置する方法であって、吊設扉を設置したい場所における前記立入防止用金網柵の金網を上胴縁から下胴縁にかけて切断して扉設置用開口部を形成する開口部形成工程と、前記扉設置用開口部において左右両側の金網の目に一対の縦枠材をそれぞれ挿通するとともに上胴縁および下胴縁の間隔に合わせて前記縦枠材の長さを調整して連結する縦枠材設置工程と、扉吊り具により扉フレームの上部フレームを前記扉設置用開口部における上胴縁に連結して扉本体を揺動自在に吊り下げる扉本体吊設工程とを有する。
【発明の効果】
【００１３】
本発明によれば、簡単かつ短時間に低コストで設置することができるとともに、周辺の地面に植物が茂ったり、積雪や凍上が生じても扉の開閉が可能であり、金網柵内の保全を確保しつつ安全かつ容易に出入りすることができる。
【図面の簡単な説明】
【００１４】
【図１】本発明に係る金網柵用吊設扉の一実施形態を示す斜視図である。
【図２】本実施形態における扉本体を示す正面図である。
【図３】本実施形態における扉吊り具を示す側面図である。
【図４】本実施形態における縦枠材を示す正面図である。
【図５】本実施形態の金網柵用吊設扉を開けた状態を示す斜視図である。
【図６】本実施形態の金網柵用吊設扉をワイヤーで吊り上げて固定した状態を示す斜視図である。
【発明を実施するための形態】
【００１５】
以下、本発明に係る金網柵用吊設扉の一実施形態について図面を用いて説明する。
【００１６】
本実施形態の金網柵用吊設扉１は、図１に示すように、立入防止用金網柵１０に形成された扉設置用開口部１０１に設置される扉本体２と、この扉本体２を前記立入防止用金網柵１０の上胴縁１０２に連結して揺動自在に吊り下げる扉吊り具３と、前記扉設置用開口部１０１の左右両側に配置される一対の縦枠材４，４と、前記立入防止用金網柵１０の下胴縁１０３に沿って設けられる小動物侵入防止網５とを有する。以下、各構成について詳細に説明する。
【００１７】
扉本体２は、立入防止用金網柵１０に形成された扉設置用開口部１０１に設置される扉であり、図２に示すように、略矩形状に形成された扉フレーム２１と、この扉フレーム２１に張設された金網材２２とで構成されている。
【００１８】
扉フレーム２１は、金属製の棒材を屈曲または溶接することで略矩形状に形成されており、本実施形態では、外周に形成された矩形状のフレームに対し、その中央部に補強用の横梁２３が略平行に２本設けられている。なお、扉フレーム２１の材料は、金属製に限定されるものではなく、合成樹脂製等であってもよい。
【００１９】
金網材２２は、人や動物が通過を防止するために前記扉フレーム２１の全面を覆うように張設されている金網である。本実施形態における金網材２２は、立入防止用金網柵１０との視覚的な調和を考慮して、立入防止用金網柵１０と同形の菱形金網を用いている。なお、金網材２２は、菱形金網に限定されるものではなく、織金網、亀甲金網、クリンプ金網等から適宜選択してよい。
【００２０】
扉吊り具３は、前記扉本体２の上部フレーム２４を前記立入防止用金網柵１０の上胴縁１０２に連結して前記扉本体２を振り子のように揺動自在に吊り下げるものである。本実施形態における扉吊り具３は、立入防止用金網柵１０の上胴縁１０２に金網を固定する固定具１０４を再利用しており、図３に示すように、帯状の板材をその両端部が向かい合わせになるように屈曲されており、各端部を連結する締結材３１を備えている。なお、扉吊り具３は、金網の固定具１０４を再利用したものに限定されるものではなく、市販されている蝶番等から適宜選択してよい。
【００２１】
縦枠材４は、扉設置用開口部１０１の左右両側に配置されることで、当該扉設置用開口部１０１の開口状態を維持し、扉本体２の揺動可能な状態を維持するものである。前記縦枠材４を配置する場合、扉設置用開口部１０１を設ける場所や立入防止用金網柵１０の種類によって上胴縁１０２と下胴縁１０３との間隔が異なることがあるため、前記縦枠材４は長さ調整可能な棒材によって構成されている。本実施形態では、図４に示すように、建築用足場の補強材に用いられるブレース材を用いており、両端部に設けられたねじ部４１を回転させることで長さの調整ができるようになっている。
【００２２】
また、縦枠材４を配置する扉設置用開口部１０１の左右両側には、切断した立入防止用金網柵１０の金網が規則正しく並んでおり、当該金網の目に前記縦枠材４を挿入することで安定的に立てられる。そして、前記縦枠材４の長さを立入防止用金網柵１０の上胴縁１０２と下胴縁１０３との間隔に合わせて伸縮させた上で、前記縦枠材４の上下端部を前記上胴縁１０２および前記下胴縁１０３にそれぞれ連結する。本実施形態では、製造コスト削減のため、扉吊り具３と同様、金網の固定具１０４を再利用して連結しているが、ボルトやナットからなる締結材等、様々な固定手段から適宜選択してよい。
【００２３】
なお、扉本体２を施錠する場合、本実施形態では、南京錠６やフックリング７等を使用して扉本体２を縦枠材４に連結している。
【００２４】
小動物侵入防止網５は、アライグマ、タヌキ、キツネ、ウサギ等の小動物の侵入を防止するためのものであり、立入防止用金網柵１０の下端部近傍から地面までを覆うように設置されている。この小動物侵入防止網５は、ポリエステル等の合成繊維によって形成された可撓性を有するネットを利用しており、塑性変形が可能であり、前記扉本体２の揺動や人の出入りの邪魔にならないようになっている。
【００２５】
つぎに、本実施形態の金網柵用吊設扉の設置方法について説明する。
【００２６】
本実施形態の金網柵用吊設扉の設置方法は、立入防止用金網柵１０の金網を切断して扉設置用開口部１０１を形成する開口部形成工程と、前記扉設置用開口部１０１に一対の縦枠材４，４を設置する縦枠材設置工程と、扉吊り具３により扉本体２を揺動自在に吊り下げる扉本体吊設工程とを実行するものである。
【００２７】
本実施形態における立入防止用金網柵１０は、図１に示すように、所定間隔に立設された複数の支柱１０５と、これらの支柱１０５の上端部に架設された上胴縁１０２と、前記各支柱１０５の下端部に架設された下胴縁１０３と、前記上胴縁１０２と前記下胴縁１０３との間に張設された菱形金網１０６とから構成されており、前記上胴縁１０２の上方には更に金網柵の乗り越えを防ぐための乗り越え防止柵１０７が設けられている。
【００２８】
そして、開口部形成工程では、扉本体２の幅に合わせて前記立入防止用金網柵１０の菱形金網１０６を上胴縁１０２から下胴縁１０３にかけて切断し、扉設置用開口部１０１を形成する。このとき、扉設置用開口部１０１の左右両側には、縦枠材４を挿通可能な網目を残すようにする。また、菱形金網１０６を上胴縁１０２や下胴縁１０３に固定していた固定具は、再利用するために取り外しておく。
【００２９】
縦枠材設置工程では、扉設置用開口部１０１の左右両側の金網の目に一対の縦枠材４，４をそれぞれ挿通するとともに上胴縁１０２および下胴縁１０３の間隔に合わせて前記縦枠材４の長さを調整し、当該縦枠材４の上下端部を前記上胴縁１０２および前記下胴縁１０３に連結する。このとき縦枠材４は、金網の目に挿通させるだけなので、作業が容易かつ短時間で行うことができる。また、縦枠材４では、両端部に設けられたねじ部４１を回転させて長さの調整を行う。そして、再利用のため取り外しておいた固定具１０４によって、前記上胴縁１０２および前記下胴縁１０３に締結固定する。
【００３０】
扉本体吊設工程では、扉フレーム２１の上部フレーム２４を前記扉設置用開口部１０１における上胴縁１０２に連結して扉本体２を揺動自在に吊り下げる。本実施形態では、再利用のため取り外しておいた固定具１０４を扉吊り具３として、この扉吊り具３によって、前記上部フレーム２４と前記上胴縁１０２とを結束した状態で挟み込み、各端部を締結材３１で連結することで、前記扉本体２を揺動自在に吊り下げる。
【００３１】
つぎに、本実施形態の金網柵用吊設扉１の各構成における作用について説明する。
【００３２】
立入防止用金網柵１０の扉設置用開口部１０１に設けられた扉本体２は、図５に示すように、扉吊り具３を中心として振り子のように揺動する。このとき、扉本体２の下端は、前記扉本体２の傾斜角度が大きくなるにつれて地面から離れていく。そのため、周辺の植物や積雪、凍土により地面の隆起が生じても、扉本体２が前記植物や前記積雪等に干渉する範囲は非常に狭く、ほとんど開閉の障害にならない。また、仮に植物や積雪により開閉の邪魔になったとしても、狭い範囲を撤去するだけで容易に開閉できるようになる。
【００３３】
また、扉本体２は、図６に示すように、ワイヤー８を用いて持ち上げた状態で固定することができる。これにより、扉設置用開口部１０１は、開放されたままの状態に保つことができ、進入してしまったシカ等の動物を誘導して前記扉設置用開口部１０１から逃がすことができる。
【００３４】
また、一対の縦枠材４，４は、上胴縁１０２と下胴縁１０３との間隔を一定に保ち、立入防止用金網柵１０の菱形金網１０６を補強することで、前記立入防止用金網柵１０の歪みを防止し、扉設置用開口部１０１を維持することができる。
【００３５】
小動物侵入防止網５は、前記扉本体２と下胴縁１０３との間の隙間を覆っているため小動物の侵入を防止する。また、小動物侵入防止網５は、地面まで垂れ下がった状態で設けられているため、穴を掘って侵入してくる小動物の侵入も防止しうる。なお、小動物侵入防止網５は可撓性を有する素材で構成しているため扉本体２の開閉時には適宜変形し、開閉の妨げとはならないし、作業者が出入りする際に安全に跨ぐことができる。
【００３６】
以上のような本実施形態の金網柵用吊設扉１および金網柵用吊設扉の設置方法によれば、以下の効果を得ることができる。
１．金網柵用吊設扉１を任意の場所に容易かつ短時間で設置することができるとともに、安全かつ容易に出入りすることができる。
２．金網柵用吊設扉１が傾斜するに従って地面から離れていくため、植物や土砂、積雪との干渉が抑えられ、確実に開閉することができる。
３．扉本体２や立入防止用金網柵１０の歪みを抑制することができ、扉としての機能を維持することができる。
４．金網柵用吊設扉１は、簡易な構成であり、既存のブレース材を用いたり、立入防止用金網柵１０に用いられている部材を再利用することが可能であるため、安価に製造することができる。
５．小動物侵入防止網５を下胴縁１０３に沿って設けることで、小動物や穴掘りを行う動物の侵入を防止することができる。
【００３７】
なお、本発明に係る金網柵用吊設扉および金網柵用吊設扉の設置方法は、前述した一実施形態に限定されるものではなく、適宜変更することができる。
【００３８】
例えば、金網柵用吊設扉１は、立入防止用金網柵１０に予め開口された扉設置用開口部１０１に設置してもよい。
【符号の説明】
【００３９】
１  金網柵用吊設扉
２  扉本体
３  扉吊り具
４  縦枠材
５  小動物侵入防止網
６  南京錠
７  フックリング
８  ワイヤー
１０  立入防止用金網柵
２１  扉フレーム
２２  金網材
２３  横梁
２４  上部フレーム
３１  締結材
４１  ねじ部
１０１  扉設置用開口部
１０２  上胴縁
１０３  下胴縁
１０４  固定具
１０５  支柱
１０６  菱形金網
１０７  乗り越え防止柵
【要約】
【課題】簡単かつ短時間に低コストで設置することができるとともに、周辺の地面に植物が茂ったり、積雪や凍上が生じても扉の開閉が可能であり、金網柵内の保全を確保しつつ安全かつ容易に出入りすることのできる金網柵用吊設扉および金網柵用吊設扉の設置方法を提供する。
【解決手段】人や動物の立ち入りを防止する立入防止用金網柵１０に設置される金網柵用吊設扉１であって、略矩形状の扉フレーム２１に金網材２２が張設されてなる扉本体２と、前記扉フレーム２１の上部フレーム２４を前記立入防止用金網柵１０の上胴縁１０３に連結して前記扉本体２を揺動自在に吊り下げる扉吊り具３とを有する。
【選択図】  図１【図１】
0005795831.tif 000002
【図２】
0005795831.tif 000003
【図３】
0005795831.tif 000004
【図４】
0005795831.tif 000005
【図５】
0005795831.tif 000006
【図６】
0005795831.tif 000007